(57)【要約】【課題】  着用物品の吸収体を形成する吸液性芯材がこぼれることなく、芯材によって引き起こされる肌トラブルを防止する着用物品を提供する。【解決手段】  パンティライナ１の表面シート１１とクッションシート４０との間には、これらを一体化する接合部６０が形成される。接合部６０は、ドット状に形成されるとともに、表面シート１１からクッションシート４０に向かって凹部を形成している。表面シート１１から、クッションシート４０を介して第１吸収体２０および第２吸収体３０に向かって、その厚さ方向にその断面がほぼＶ字の条溝７０が形成される。条溝７０は、接合部６０によって形成される凹部よりも、その厚さ方向において深く形成されている。接合部６０と条溝７０とには、これらが重なり合う重なり部位８０が形成される。第１吸収体２０では、重なり部位８０に対応する位置において、第１芯材２１が実質的に存在しない実質的非存在領域２６を形成している。【選択図】図１
2010119605.tif 000002
【特許請求の範囲】
【請求項１】
縦方向および横方向と、着用者の身体側に位置する表面シートと、前記身体側の反対側に位置する裏面シートと、前記表裏面シートの間に位置し吸液性芯材を含む吸収体と、前記表面シートと前記吸収体との間に位置する中間シートと、前記表面シートと前記中間シートとを圧搾処理によって一体化する接合部と、前記表面シートから前記吸収体に向かって形成された条溝とを含む着用物品において、
前記接合部は、前記表面シートから前記中間シートに向かう凹部を形成し、前記条溝は、前記凹部よりも前記表面シートから前記吸収体に向かってその厚さ方向に深く形成され、
前記接合部と前記条溝とは、少なくともその一部で重なって形成される重なり部位を含み、前記吸収体は、前記重なり部位に対応する部分で、前記吸液性芯材が実質的に存在しない実質的非存在領域が形成されることを特徴とする前記着用物品。
【請求項２】
前記吸収体は、前記吸液性芯材を覆う被覆シートをさらに含む請求項１記載の着用物品。
【請求項３】
前記接合部は、ドット状に互いに離間して形成される請求項１または２記載の着用物品。
【請求項４】
前記接合部は、前記縦方向に延びるとともに、前記横方向に互いに離間して複数条形成される請求項１または２記載の着用物品。
【請求項５】
前記条溝は、複数形成されるとともに、前記横方向に互いに離間し、前記縦方向に延びる請求項１〜４のいずれかに記載の着用物品。
【請求項６】
前記接合部および条溝は、加熱圧搾処理によって形成される請求項１〜５のいずれかに記載の着用物品。
【請求項７】
前記吸収体は、前記身体側に位置する第１吸収体と、前記第１吸収体に積層され前記反対側に位置する第２吸収体とを含み、前記第１吸収体に前記実質的非存在領域が形成され、前記条溝は、前記第２吸収体にまで到達する請求項１〜６のいずれかに記載の着用物品。
【発明の詳細な説明】
【技術分野】
【０００１】
この発明は、着用物品に関し、さらに詳しくは、体液を吸収および保持することが可能であって、尿または女性性器から出る粘液・組織などのいわゆる下り物用パンティライナ、生理用ナプキンまたはパッド、使い捨ておむつ等の着用物品に関する。
【背景技術】
【０００２】
従来、着用物品である生理用ナプキンとして、例えば、特開２００３−２３０５９３号公報（特許文献１）が公知である。特許文献１では、生理用ナプキンは、トップシートと、裏面シートと、これらシートの間に形成された吸収コアとを含む。トップシートと吸収コアとの間には、吸収促進シートが形成され、トップシートと吸収促進シートとが熱溶着によって間欠的に一体化されている。さらに、トップシートから吸収コアに向かって条溝が形成され、この条溝によって吸収コアに含まれる吸収体の変形を防止するとともに、体液が条溝の外側に流出するのを抑制している。
【特許文献１】特開２００３−２３０５９３号公報（ＪＰ  ２００３−２３０５９３  Ａ）
【発明の開示】
【発明が解決しようとする課題】
【０００３】
上記のような着用物品において、熱溶着された部分に、条溝が位置し、これらが重なって形成されるトップシートの部分では、トップシートが破れやすく、破れたところから吸収体を形成する吸液性芯材がこぼれてしまうという可能性がある。こぼれた芯材が肌に付着すると、肌に刺激を与えて肌トラブルを引き起こしかねない。
【０００４】
この発明では、着用物品の吸収体を形成する吸液性芯材がこぼれることなく、芯材によって引き起こされる肌トラブルを防止する着用物品を提供することを課題とする。
【課題を解決するための手段】
【０００５】
この発明は、縦方向および横方向と、着用者の身体側に位置する表面シートと、前記身体側の反対側に位置する裏面シートと、前記表裏面シートの間に位置し吸液性芯材を含む吸収体と、前記表面シートと前記吸収体との間に位置する中間シートと、前記表面シートと前記中間シートとを圧搾処理によって一体化する接合部と、前記表面シートから前記吸収体に向かって形成された条溝とを含む着用物品の改良に関わる。
【０００６】
この発明は、前記着用物品において、前記接合部は、前記表面シートから前記中間シートに向かう凹部を形成し、前記条溝は、前記凹部よりも前記表面シートから前記吸収体に向かってその厚さ方向に深く形成され、前記接合部と前記条溝とは、少なくともその一部で重なって形成される重なり部位を含み、前記吸収体は、前記重なり部位に対応する部分で、前記吸液性芯材が実質的に存在しない実質的非存在領域が形成されることを特徴とする。
【０００７】
好ましい実施態様のひとつとして、前記吸収体は、前記吸液性芯材を覆う被覆シートをさらに含む。
【０００８】
好ましい他の実施態様のひとつとして、前記接合部は、前記表面シートの全域に亘って、ドット状に離間して形成される。
【０００９】
好ましい他の実施態様のひとつとして、前記接合部は、前記縦方向に延びるとともに、前記横方向に互いに離間して複数条形成される。
【００１０】
好ましい他の実施態様のひとつとして、前記条溝は、複数形成されるとともに、前記横方向に互いに離間し、前記縦方向に延びて形成される。
【００１１】
好ましい他の実施態様のひとつとして、前記接合部および条溝は、加熱圧搾処理によって形成される。
【００１２】
好ましい他の実施態様のひとつとして、前記吸収体は、前記身体側に位置する第１吸収体と、前記第１吸収体に積層され前記反対側に位置する第２吸収体とを含み、前記第１吸収体に前記実質的非存在領域が形成され、前記条溝は、前記第２吸収体にまで到達する。
【発明の効果】
【００１３】
この発明の着用物品では、接合部と条溝とが一致する重なり部位に対応する部分においては、吸収体の吸液性芯材が実質的に存在しない実質的非存在領域が形成されるので、たとえ表面シートが破れてしまったとしても、吸液性芯材がこぼれでて肌に接触するということがない。したがって、吸収体による肌トラブルを防止することができる。
【発明を実施するための最良の形態】
【００１４】
この発明における着用物品の一例を説明する。
【００１５】
この実施形態では、着用物品として尿用のパンティライナ１を例に挙げて説明する。図１はパンティライナ１の平面図であってその一部を破断した図、図２は図１のＩＩ−ＩＩ線断面図、図３は図１のＩＩＩ−ＩＩＩ線断面図である。パンティライナ１は、縦方向Ｙとこれに直交する横方向Ｘとを含み、縦方向Ｙに縦長に形成されている。パンティライナ１は、身体側に位置する表面シート１１と、身体側とは反対側であってパンティ等の着衣側に位置する裏面シート１２と、これらシート１１，１２の間に形成された第１吸収体２０および第２吸収体３０と、表面シート１１と第１吸収体２０との間に形成されたクッションシート４０とを含む。クッションシート４０が、この発明でいう中間シートである。表面シート１１と裏面シート１２とは、その周囲において接着手段１３を介して、好ましくは水密に接合されている。
【００１６】
第１吸収体２０と第２吸収体３０とは、厚さ方向に積層され、第１吸収体２０が表面シート１１側に位置し、第２吸収体３０が裏面シート１２側に位置している。第１吸収体２０は、高吸収ポリマーの粒子を含む第１芯材２１と、第１芯材２１を覆う第１被覆シート２２とを含む。第２吸収体３０は、高吸収ポリマー粒子およびパルプを含む第２芯材３１と、第２芯材３１を覆う第２被覆シート３２とを含む。第１被覆シート２２と第２被覆シート３２とは、接合手段５１によって間欠的に接合され、第２被覆シート３２は、接着手段５２を介して、裏面シート１２に好ましくは間欠的に接合されている。
【００１７】
第１吸収体２０は、全体として略矩形に形成され、縦方向Ｙに延びる第１両側縁２３，２３と、横方向Ｘに延びる第１前後端縁２４，２５とを含む。第２吸収体３０は、表裏面シート１１，１２とほぼ相似形を有し、これら表裏面シート１１，１２の接合部１３の内側に沿って形成されるとともに、第２芯材３１は、その全体に亘って配置されている。第１吸収体２０は、第２吸収体３０のほぼ中央に位置し、第１吸収体２０が着用者の排泄位置に一致するようにしている。第２吸収体３０は、第１吸収体２０の少なくとも第１前後端縁２４，２５から縦方向Ｙの外側に延出する前後端延出部３３，３４を含み、第２吸収体３０の面積を、第１吸収体２０の面積よりも広くしている。ただし、第１および第２吸収体２０，３０の面積は、これらに限られることなく、たとえば同じ面積であってもよい。
【００１８】
クッションシート４０は、表裏面シート１１，１２の接合部１３の内側に沿って形成される。クッションシート４０は、パンティライナ１において着用者の肌に対するクッション性を向上させ、またこれら性質に加えて、体液を妄りに拡散させることなくスポット吸収することを可能とする、通気性かつ液透過性の繊維不織布等を用いることができる。
【００１９】
表面シート１１とクッションシート４０との間には、これらを一体化する接合部６０が形成される。これら接合部６０は、表面シート１１とクッションシート４０とを加熱圧搾処理することによって形成される。すなわち、表面シート１１とクッションシート４０とは、熱可塑性を有し、これらを熱溶融させて一体化させている。接合部６０は、ドット状に形成されるとともに、シート１１，４０の横方向Ｘの中央近傍において縦方向Ｙに延びて形成されている。このような接合部６０は、表面シート１１からクッションシート４０に向かって凹部を形成している。
【００２０】
表面シート１１から、クッションシート４０を介して第１吸収体２０および第２吸収体３０に向かって、その厚さ方向にその断面がほぼＶ字の条溝７０が形成される。条溝７０の断面は、ほぼＵ字であってもよい。この条溝７０は、横方向Ｘに離間して２条形成され、少なくとも、第１吸収体２０の第１前端縁２４から第１後端縁２５に到達するように縦方向Ｙに延びている。条溝７０は、加熱圧搾処理によって形成されるが、各シート等が熱溶融されない程度に処理している。条溝７０は、接合部６０によって形成される凹部よりも、その厚さ方向において深く形成されている。
厚さ方向に比較的深い条溝７０を形成する場合には、条溝７０の側方において表面シート１１が吸収体側から浮き上がりやすく、これを防止するために接合部６０が形成され、表面シート１１が浮き上がってクッションシート４０から離間しないようにしている。
【００２１】
上記のように、表面シート１１およびクッションシート４０には、接合部６０と条溝７０とが形成され、接合部６０の一部と条溝７０とが重なり合う重なり部位８０が形成される。少なくとも重なり部位８０に対応する位置において、第１吸収体２０では、第１芯材２１が実質的に存在しない実質的非存在領域２６を形成している。ここで実質的非存在領域２６とは、吸液性の芯材が全く存在しない場合や、吸収体として十分な吸液容量を有しない程度の僅かに存在するような場合を意味する。
具体的に、実質的非存在領域２６は条溝７０に沿って形成され、条溝７０と同様に、縦方向Ｙに延びるとともに、横方向Ｘに離間して形成される。このように、条溝７０に沿って実質的非存在領域２６を形成することによって、接合部６０と条溝７０との重なり部位８０において、確実に第１芯材２１が実質的に存在しないようにすることができる。
【００２２】
図２に示したように、第１吸収体２０の実質的非存在領域２６では、条溝７０が形成されることによって、厚さ方向の上下に位置する第１被覆シート２２が互いに直接接触するとともに、この第１被覆シート２２と表面シート１１とが接触し、第２吸収体３０ではその第２芯材３１が圧搾されている。第２芯材３１の圧搾によって、この部分の芯材の密度が他の部分に比べて高くなっている。また、実質的非存在領域２６の横方向Ｘの長さ寸法が、対応する条溝７０および接合部６０の横方向Ｘの長さ寸法よりも大きくなるようにして、重なり部位８０が実質的非存在領域２６からはみ出ることなく、その範囲に収まるようにしている。
【００２３】
上記のような構成によれば、条溝７０であって少なくとも重なり部位８０に対応する部分では、実質的非存在領域２６が形成される。接合部６０と条溝７０との重なり部位８０では、接合部６０と条溝７０とが加熱圧搾処理によって形成されることから、表面シート１１およびクッションシート４０が部分的に薄くなり、破れやすくなっている。しかし、重なり部位８０に対応する部分において、実質的非存在領域２６を形成しているので、たとえシート１１，４０が破れたとしても、第１芯材２１が存在しないのであるから、これがこぼれでるということがない。また、実質的非存在領域２６では、第１芯材２１を覆う第１被覆シート２２がその厚さ方向上下において互いに接合されるので、第１芯材２１が第１被覆シート２２からこぼれでるのをさらに抑制することもできる。
【００２４】
条溝７０が形成されることによって、第２吸収体３０には圧搾による高密度領域が形成されるので、尿等の体液が条溝７０を介して、第２吸収体３０に速やかに吸収される。したがって、表面シート１１に体液が長時間にわたって残存することがなく、体液が着用者に長時間付着することによる肌トラブルを防止することができる。また、第１吸収体２０の実質的非存在領域２６に重なって第２吸収体３０の第２芯材３１が形成されるので、この領域における体液の吸収を担保することができる。
【００２５】
第１吸収体２０および第２吸収体３０に条溝７０を形成することによって、第１芯材２１および第２芯材３１のよれを抑制し、第１および第２吸収体２０，３０を保形することができる。また、２条の条溝７０を離間させて形成することによって、これらの間に体液の排泄があった場合に、条溝７０の外側への体液の流動を物理的に妨げる障壁として機能させることができる
【００２６】
表面シート１１としては、透液性の繊維不織布等を用いることができ、裏面シート１２としては、不透液性のフィルム等を使用することができる。第１および第２被覆シート２２，３２としては液拡散性のティッシュペーパー等を使用することができる。第１芯材２１としては、高吸収性ポリマー粒子を用いているが、吸液性を有するものであれば、パルプなどの他の芯材を用いることができ、これらを組み合わせて使用することもできる。同様に、第２芯材３１として、パルプや高吸収性ポリマー粒子、これらの組み合わせを使用することができる。また、第１および第２芯材２１，３１として同じ構成の芯材を用いることもできる。
【００２７】
この実施形態において、接合部６０は、ドット状にしているが、必ずしもドット状である必要はなく、表面シート１１とクッションシート４０とが、条溝７０の形成時に離間しないようにできるものであれば、その形状や位置等は適宜選択することができる。例えば、縦方向Ｙに延びるとともに、横方向Ｘに互いに離間する複数条の接合部６０とすることもできる。また、条溝７０は、縦方向Ｙに２条形成されているが、これに限ったものではない。ただし、第１および第２吸収体２０，３０の保形の機能を発揮するためには、少なくとも第１および第２吸収体２０，３０に形成される必要がある。また、条溝７０は、縦方向Ｙに延びるものの他、横方向に延びるものであってもよく、さらに一方向に延びるものだけでなく、波形を画いたり環状に形成されたりするものでもよい。
【００２８】
上記のような構成において、表面シート１１とクッションシート４０とに接合部６０を形成し、これを間欠的に一体化させてシート体とした後、このシート体を第１吸収体２０と第２吸収体３０との積層体に重ね合わせてから条溝７０を形成するために加熱圧搾処理することができる。
【００２９】
上記の実施形態では、表面シート１１とクッションシート４０との間に接合部６０を形成し、これらを部分的に一体化させているが、クッションシート４０を含まないものであってもよい。この場合には、表面シート１１と第１吸収体２０の第１被覆シート２２との間に接合部６０が形成され、第１被覆シート２２によってこの発明の中間シートを形成することができる。表面シート１１と第１被覆シート２２との間に接合部６０を形成する場合には、第１吸収体２０の第１芯材２１を第１被覆シート２２で被覆してから、表面シート１１を第１被覆シート２２に積層して接合部６０を形成することができる。
【００３０】
吸収体は、第１吸収体２０と第２吸収体３０とを含むこととしているが、いずれか一方のみを含む場合であってもよい。また、条溝７０が第２吸収体３０にまで到達するようにしているが、必ずしも、この構成に限ったものではない。ただし、条溝７０が第２吸収体３０にまで到達することによって、第２吸収体３０への体液の吸収速度を促進し、第２吸収体３０の保形を図ることができる。これら機能を発揮させるために、条溝７０は、第２吸収体３０の厚さの３０％以上、特に５０％以上の深さを有することが望ましい。
【００３１】
この発明において、接合部６０および条溝７０を加熱圧搾処理によって形成することとしているが、その他の公知の技術を用いることができる。接着手段１３，５１，５２として、接着剤、サーマルまたはウルトラソニックボンド等の慣用技術を利用することができる。また、裏面シート１２として、不透液性のプラスチックフィルム等を用いることができるが、裏面シート１２の着衣側に、肌触りを考慮した繊維不織布をさらに形成することもできる。
【図面の簡単な説明】
【００３２】
【図１】パンティライナの正面図。
【図２】図１のＩＩ−ＩＩ線断面概要図。
【図３】図１のＩＩＩ−ＩＩＩ線断面概要図。
【符号の説明】
【００３３】
１    パンティライナ
１１    表面シート
１２    裏面シート
２０    第１吸収体
２１    第１芯材
２２    第１被覆シート
２６    実質的非存在領域
３０    第２吸収体
３１    第２芯材
４０    クッションシート（中間シート）
６０    接合部
７０    条溝
８０    重なり部位
【図１】
2010119605.tif 000003
【図２】
2010119605.tif 000004
【図３】
2010119605.tif 000005